【手続補正書】
【提出日】平成24年10月2日(2012.10.2)
【手続補正１】
【補正対象書類名】特許請求の範囲
【補正対象項目名】全文
【補正方法】変更
【補正の内容】
【特許請求の範囲】
【請求項１】
被写体を連続して撮像して複数の画像を出力する撮像手段と、
前記撮像手段により被写体が連続して撮像されている間に、当該撮像手段により出力される複数の画像を順次合成する画像合成手段と、
前記撮像手段により被写体が連続して撮像されている間に、前記画像合成手段により順次合成される画像を表示手段に表示させる表示制御手段と、
を備えることを特徴とする撮像装置。
【請求項２】
画像合成手段は、略所定の方向に撮像範囲が移動されながら前記撮像手段により被写体が連続して撮像されている間に、前記撮像手段により出力される複数の画像を順次合成することを特徴とする請求項１に記載の撮像装置。
【請求項３】
前記表示制御手段は、前記合成された画像とともに、前記撮像手段により撮像された画像を順次表示させることを特徴とする請求項１又は２に記載の撮像装置。
【請求項４】
前記撮像手段から出力された複数の画像を縮小処理する第１の縮小処理手段をさらに備え、
前記画像合成手段は、前記第１の縮小処理手段により縮小処理された複数の画像を順次合成することを特徴とする請求項１乃至３の何れか１項に記載の撮像装置。
【請求項５】
前記画像合成手段により順次合成される画像を縮小処理する第２の縮小処理手段を更に備え、
前記表示制御手段は、前記第２の縮小処理手段により縮小処理された画像を前記表示手段に表示させるよう制御することを特徴とする請求項１乃至３の何れか１項に記載の撮像装置。
【請求項６】
所定条件を満たした場合、前記順次合成された画像を記録用の画像として取得する取得する取得手段と、
前記取得手段により記録用として取得された前記順次合成された画像を記録するよう制御する記録制御手段と、
をさらに備えることを特徴とする請求項１乃至５の何れか１項に記載の撮像装置。
【請求項７】
前記表示制御手段は、前記撮像手段により撮像された画像に前記順次合成される画像を重畳して表示させることを特徴とする請求項１乃至６の何れか１項に記載の撮像装置。
【請求項８】
撮像装置が実行する表示制御方法において、
撮像手段により被写体が連続して撮像されている間に、当該撮像手段により出力される複数の画像を順次合成する画像合成ステップと、
前記撮像手段により被写体が連続して撮像されている間に、前記画像合成ステップにより順次合成される画像を表示手段に表示させる表示制御ステップと、
を含むことを特徴とする表示制御方法。
【請求項９】
撮像手段により被写体が連続して撮像されている間に、当該撮像手段により出力される複数の画像を順次合成する画像合成手段と、
前記撮像手段により被写体が連続して撮像されている間に、前記画像合成手段により順次合成される画像を表示手段に表示させる表示制御手段と、
して機能させることを特徴とするプログラム。
【手続補正２】
【補正対象書類名】明細書
【補正対象項目名】０００６
【補正方法】変更
【補正の内容】
【０００６】
本発明は、このような状況に鑑みてなされたものであり、連続撮像中に、これまでの撮像の履歴をユーザが容易に視認できるようにすることを目的とする。
【手続補正３】
【補正対象書類名】明細書
【補正対象項目名】０００７
【補正方法】変更
【補正の内容】
【０００７】
上記目的を達成するため、請求項１の発明は、被写体を連続して撮像して複数の画像を出力する撮像手段と、前記撮像手段により被写体が連続して撮像されている間に、当該撮像手段により出力される複数の画像を順次合成する画像合成手段と、前記撮像手段により被写体が連続して撮像されている間に、前記画像合成手段により順次合成される画像を表示手段に表示させる表示制御手段と、を備えた撮像装置であることを特徴とする。
また、請求項２に記載の発明は、上記請求項１に記載の発明において、画像合成手段は、略所定の方向に撮像範囲が移動されながら前記撮像手段により被写体が連続して撮像されている間に、前記撮像手段により出力される複数の画像を順次合成することを特徴とする。
【手続補正４】
【補正対象書類名】明細書
【補正対象項目名】０００８
【補正方法】変更
【補正の内容】
【０００８】
また、請求項３に記載の発明は、上記請求項１又は２に記載の発明において、前記表示制御手段は、前記合成された画像とともに、前記撮像手段により撮像された画像を順次表示させることを特徴とする。
【手続補正５】
【補正対象書類名】明細書
【補正対象項目名】０００９
【補正方法】変更
【補正の内容】
【０００９】
また、請求項４に記載の発明は、上記請求項１乃至３の何れか１項に記載の発明において、前記撮像手段から出力された複数の画像を縮小処理する第１の縮小処理手段をさらに備え、前記画像合成手段は、前記第１の縮小処理手段により縮小処理された複数の画像を順次合成することを特徴とする。
【手続補正６】
【補正対象書類名】明細書
【補正対象項目名】００１０
【補正方法】変更
【補正の内容】
【００１０】
また、請求項５に記載の発明は、上記請求項１乃至３の何れか１項に記載の発明において、前記画像合成手段により順次合成される画像を縮小処理する第２の縮小処理手段を更に備え、前記表示制御手段は、前記第２の縮小処理手段により縮小処理された画像を前記表示手段に表示させることを特徴とする。
【手続補正７】
【補正対象書類名】明細書
【補正対象項目名】００１１
【補正方法】変更
【補正の内容】
【００１１】
また、請求項６に記載の発明は、上記請求項１乃至５の何れか１項に記載の発明において、所定条件を満たした場合、前記順次合成された画像を記録用の画像として取得する取得する取得手段と、前記取得手段により記録用として取得された前記順次合成された画像を記録するよう制御する記録制御手段と、をさらに備えることを特徴とする。
また、請求項７に記載の発明は、上記請求項１乃至６の何れか１項に記載の発明において、前記表示制御手段は、前記撮像手段により撮像された画像に前記順次合成される画像を重畳して表示させる、ことを特徴とする。
【手続補正８】
【補正対象書類名】明細書
【補正対象項目名】００１２
【補正方法】変更
【補正の内容】
【００１２】
また、上記目的を達成するため、請求項８に記載の発明は、撮像装置が実行する表示制御方法において、撮像手段により被写体が連続して撮像されている間に、当該撮像手段により出力される複数の画像を順次合成する画像合成ステップと、前記撮像手段により被写体が連続して撮像されている間に、前記画像合成ステップにより順次合成される画像を表示手段に表示させる表示制御ステップと、を含む撮像方法であることを特徴とする。
【手続補正９】
【補正対象書類名】明細書
【補正対象項目名】００１３
【補正方法】変更
【補正の内容】
【００１３】
また、上記目的を達成するため、請求項９に記載の発明は、撮像手段により被写体が連続して撮像されている間に、当該撮像手段により出力される複数の画像を順次合成する画像合成手段、前記撮像手段により被写体が連続して撮像されている間に、前記画像合成手段により順次合成される画像を表示手段に表示させる表示制御手段、として機能させることを特徴とする。
【手続補正１０】
【補正対象書類名】明細書
【補正対象項目名】００１４
【補正方法】変更
【補正の内容】
【００１４】
本発明によれば、連続撮像中に、これまでの撮像の履歴をユーザが容易に視認できるようになる。